(57)【特許請求の範囲】
【請求項１】
コラボレーション歌唱を所望するカラオケ楽曲について、複数の利用者の歌唱音声及び歌唱動画を録画するための録画システムであって、前記コラボレーション歌唱を行った利用者毎に作成され、前記コラボレーション歌唱を行ったすべての利用者の歌唱音声からなるコラボレーション歌唱音声と、コラボレーション歌唱を最後に行った利用者の歌唱動画のみからなるコラボレーションデータが記憶されており、コラボレーションデータ取得手段と、撮影手段と、歌唱音声取得手段と、歌唱動画表示手段と、コラボレーションデータ作成手段と、を備え、
前記コラボレーションデータ取得手段は、新たにコラボレーション歌唱を行う新規利用者の選択に応じて、前記コラボレーション歌唱を行った利用者毎に作成された少なくとも１つ以上のコラボレーションデータの中から、前記コラボレーション歌唱を行ったすべての利用者の歌唱音声からなるコラボレーション歌唱音声と、コラボレーション歌唱を最後に行った利用者の歌唱動画のみからなるコラボレーションデータを１つ取得し、
前記撮影手段は、新規利用者がコラボレーション歌唱を行う際の歌唱動画を撮影し、
前記歌唱音声取得手段は、新規利用者がコラボレーション歌唱を行う際の歌唱音声を取得し、
前記歌唱動画表示手段は、新規利用者がコラボレーション歌唱を行う際に、前記撮影している歌唱動画と、前記取得した歌唱動画とを表示装置の表示画面に表示し、
前記コラボレーションデータ作成手段は、前記撮影した歌唱動画と、前記取得したコラボレーション歌唱音声に対して新規利用者の歌唱音声を合成した新たなコラボレーション歌唱音声とを用いて、新たなコラボレーションデータを作成する、
ことを特徴とするコラボレーション歌唱の録画システム。
【請求項２】
歌唱動画関連付け手段と、コラボレーション公開データ作成手段と、をさらに備え、
前記歌唱動画関連付け手段は、前記コラボレーションデータのコラボレーション歌唱音声に含まれるすべての利用者の歌唱動画を関連付け、
前記コラボレーション公開データ作成手段は、前記関連付けられたすべての利用者の歌唱動画と、前記コラボレーション歌唱音声とからなるコラボレーション公開データを作成する、
ことを特徴とする請求項１に記載のコラボレーション歌唱の録画システム。
【発明の詳細な説明】
【技術分野】
【０００１】
本発明は、複数の利用者の歌唱音声及び歌唱動画を合成するためのコラボレーション歌唱の録画システムに関するものであり、特に、歌唱音声データ及び歌唱動画データを送受信する通信回線の負荷や録画装置の負担を軽減することが可能なシステムに関するものである。
【背景技術】
【０００２】
現在普及しているカラオケ演奏端末には、複数の利用者の歌唱音声及び歌唱動画を用いてコラボレーション歌唱を行うことができるものがある。このようなコラボレーション歌唱機能では、利用者がカラオケ楽曲を歌唱し、その歌唱音声と歌唱動画とを録画して、録画サーバ等に保存する。そして、コラボレーション歌唱を所望する利用者が、このコラボレーションデータをダウンロードするとともに、このコラボレーションデータと、新たに録音した歌唱音声及び新たに撮影した歌唱動画とを用いて、新たなコラボレーションデータを作成する。
【０００３】
従来、このようなコラボレーション歌唱機能に関する技術が開示されている（例えば、特許文献１参照）。特許文献１に記載された技術は、表示手段の第１領域に、予め記録された第１映像情報を表示させるとともに、第１領域の左側または右側に位置する第２領域に、カメラから入力される第２映像情報を左右反転して表示させる。また、第１映像情報に同期して記録された第１音声情報と、マイクロホンから入力される第２音声情報を再生させる。さらに、第２映像情報と第２音声情報を記録手段に記録するようになっている。
【０００４】
ところで、複数の利用者の歌唱音声及び歌唱動画を用いてコラボレーションデータを作成する場合には、各利用者の歌唱音声及び歌唱動画を保存しておき、これらの保存データと、新たな利用者の歌唱音声及び歌唱動画を用いて、コラボレーションデータを作成しなければならない。また、現在普及しているカラオケ演奏端末では、サーバに記憶されたカラオケデータ等、各種のデータをダウンロードして、各カラオケ演奏端末で利用する通信カラオケシステムが採用されている。
【先行技術文献】
【特許文献】
【０００５】
【特許文献１】特開２０１２−２７４１７号公報
【発明の概要】
【発明が解決しようとする課題】
【０００６】
通信カラオケシステムにコラボレーション歌唱機能を持たせようとした場合、各利用者の歌唱音声及び歌唱動画をサーバに記憶するのが一般的である。この際、二人の利用者の歌唱音声及び歌唱動画を用いてコラボレーションデータを作成する場合には、歌唱音声及び歌唱動画を送受信する通信回線の負荷や録画装置のデータ処理能力が問題となることは殆ど無い。
【０００７】
しかし、三人あるいは四人というようにコラボレーション歌唱を行う利用者数が増加した場合に、コラボレーションデータを作成する毎に、すべての利用者の歌唱音声及び歌唱動画をカラオケ演奏端末にダウンロードしたのでは、通信回線のトラフィックが増大して、予期せぬ通信障害が発生するおそれがある。また、録画装置においても、膨大なデータを用いてコラボレーションデータを作成する場合には、データ処理の負担が増大してしまう。さらに、処理能力の高い高性能なＣＰＵ等を用いて、コラボレーションデータを作成することも考えられるが、これでは装置の製造コストが上昇してしまうという不都合がある。
【０００８】
本発明は、上述した事情に鑑み提案されたもので、複数の利用者の歌唱音声及び歌唱動画を用いてコラボレーションデータを作成する場合に、通信回線の負荷や録画装置の負担を軽減することが可能なコラボレーション歌唱の録画システムを提供することを目的とする。
【課題を解決するための手段】
【０００９】
本発明は、上述した目的を達成するため、以下の特徴を有している。すなわち、本発明のコラボレーション歌唱の録画システムは、コラボレーション歌唱を所望するカラオケ楽曲について、複数の利用者の歌唱音声及び歌唱動画を録画するための録画システムであって、コラボレーション歌唱を行った利用者毎に作成され、コラボレーション歌唱を行ったすべての利用者の歌唱音声からなるコラボレーション歌唱音声と、コラボレーション歌唱を最後に行った利用者の歌唱動画のみからなるコラボレーションデータが記憶されており、コラボレーションデータ取得手段と、撮影手段と、歌唱音声取得手段と、歌唱動画表示手段と、コラボレーションデータ作成手段とを備えたことを特徴とするものである。
【００１０】
コラボレーションデータ取得手段は、新たにコラボレーション歌唱を行う新規利用者の選択に応じて、コラボレーション歌唱を行った利用者毎に作成された少なくとも１つ以上のコラボレーションデータの中から、コラボレーション歌唱を行ったすべての利用者の歌唱音声からなるコラボレーション歌唱音声と、コラボレーション歌唱を最後に行った利用者の歌唱動画のみからなるコラボレーションデータを１つ取得するための手段である。
【００１１】
撮影手段は、新規利用者がコラボレーション歌唱を行う際の歌唱動画を撮影するための手段である。歌唱音声取得手段は、新規利用者がコラボレーション歌唱を行う際の歌唱音声を取得するための手段である。
【００１２】
歌唱動画表示手段は、新規利用者がコラボレーション歌唱を行う際に、現に撮影している歌唱動画と取得した歌唱動画とを表示装置の表示画面に表示するための手段である。コラボレーションデータ作成手段は、撮影した歌唱動画と、取得したコラボレーション歌唱音声に対して新規利用者の歌唱音声を合成した新たなコラボレーション歌唱音声とを用いて、新たなコラボレーションデータを作成するための手段である。
【００１３】
また、上述した構成に加えて、さらに、歌唱動画関連付け手段と、コラボレーション公開データ作成手段とを備えることが可能である。歌唱動画関連付け手段は、コラボレーションデータのコラボレーション歌唱音声に含まれるすべての利用者の歌唱動画を関連付けるための手段である。コラボレーション公開データ作成手段は、関連付けられたすべての利用者の歌唱動画と、コラボレーション歌唱音声とからなるコラボレーション公開データを作成するための手段である。なお、コラボレーション歌唱音声とは、関連付けられたすべての利用者の歌唱音声のことである。
【００１４】
このような構成からなるコラボレーション歌唱の録画システムでは、例えば、サーバの記憶装置にコラボレーションデータを記憶しておく。なお、コラボレーションデータとは、既にコラボレーション歌唱を行ったすべての利用者（既に歌唱を行った利用者が一人のみの場合を含む）の歌唱音声からなるコラボレーション歌唱音声（既に歌唱を行った利用者が一人のみの場合には当該利用者の歌唱音声）と、コラボレーション歌唱を最後に行った利用者の歌唱動画と（既に歌唱を行った利用者が一人のみの場合には当該利用者の歌唱動画）を含むデータのことである。
【００１５】
そして、利用者がコラボレーション歌唱を所望する場合に、コラボレーションデータ取得手段の機能により、サーバの記憶装置に記憶されたコラボレーションデータの中から、新規利用者の選択に応じて任意のコラボレーションデータを取得する。
【００１６】
また、撮影手段の機能により、新規利用者の歌唱動画を撮影すると共に、歌唱音声取得手段の機能により、新規利用者の歌唱音声を取得する。この際、歌唱動画表示手段の機能により、現に撮影している新規利用者の歌唱動画と取得した歌唱動画（コラボレーション歌唱を最後に行った利用者の歌唱動画）とを表示装置の表示画面に表示する。
【００１７】
そして、コラボレーションデータ作成手段の機能により、新規利用者の歌唱動画と、既に歌唱を行ったすべての利用者の歌唱音声からなるコラボレーション歌唱音声に対して新規利用者の歌唱音声を合成した新たなコラボレーション歌唱音声とを用いて、新たなコラボレーションデータを作成する。なお、コラボレーションデータは、コラボレーション歌唱を行った利用者毎に作成される。
【００１８】
また、歌唱動画関連付け手段の機能により、コラボレーションデータのコラボレーション歌唱音声に含まれるすべての利用者の歌唱動画を関連付け、コラボレーション公開データ作成手段の機能により、関連付けられたすべての利用者の歌唱動画と、コラボレーション歌唱音声とからなるコラボレーション公開データを作成することができる。
【発明の効果】
【００１９】
本発明のコラボレーション歌唱の録画システムによれば、新たなコラボレーションデータを作成する際に、表示装置において、コラボレーション歌唱を行ったすべての利用者の歌唱動画を表示するのではなく、最後に歌唱を行った利用者一人の歌唱動画と、現に撮影を行っている新規利用者の歌唱動画のみを表示する。また、コラボレーションデータに含まれるすべての利用者の歌唱音声からなるコラボレーション歌唱音声と、新規利用者の歌唱音声とを合成して、新たなコラボレーション歌唱音声を生成し、この新たなコラボレーション歌唱音声と、新規利用者の歌唱画像とを用いて、新たなコラボレーションデータを作成する。
【００２０】
したがって、コラボレーションデータを作成する毎に、すべての歌唱者の歌唱画像をダウンロードする必要がないので、通信回線のトラフィックが増加することがなく、通信障害の発生等を未然に防止することができる。また、録画装置においても、膨大なデータを用いてコラボレーションデータの作成を行う必要がないので、データ処理の負担が軽減する。また、録画装置に対して大きなデータ処理能力を要求しないので、装置の製造コストを低減することが可能となる。
【図面の簡単な説明】
【００２１】
【図１】本発明の実施形態に係るコラボレーション歌唱の録画システムを説明する機能説明図。
【図２】本発明の実施形態に係るコラボレーション歌唱の録画システムを適用したカラオケ演奏端末の構成を示すブロック図。
【図３】コラボレーション歌唱を行う際のデータダウンロード及びコラボレーションデータ作成の手順を説明する説明図。
【発明を実施するための形態】
【００２２】
以下、図面を参照して、本発明のコラボレーション歌唱の録画システムの実施形態について説明する。図１〜図３は本発明の実施形態に係るコラボレーション歌唱の録画システムを示すもので、図１はコラボレーション歌唱の録画システムを説明する機能説明図、図２はコラボレーション歌唱の録画システムを適用したカラオケ演奏端末の構成を示すブロック図、図３はコラボレーション歌唱を行う際のデータダウンロード及びコラボレーションデータ作成の手順を説明する説明図である。
【００２３】
＜システムの概要＞
本発明の実施形態に係るコラボレーション歌唱の録画システム１０は、コラボレーション歌唱を所望するカラオケ楽曲について、複数の利用者の歌唱音声及び歌唱動画を録画するためのシステムであって、図１に示すように、コラボレーションデータ取得手段３８と、撮影手段（ビデオカメラ２６）と、歌唱音声取得手段（マイクロホン２４）と、歌唱動画表示手段３９と、コラボレーションデータ作成手段４０とを備えており、さらに、歌唱動画関連付け手段５５と、コラボレーション公開データ作成手段５６とを備えることが可能である。
【００２４】
本実施形態では、図２に示すように、カラオケ演奏端末２０が通信回線を介してサーバ５０に接続されており、サーバ５０は、基本的なサーバ機能として、中央制御手段５１、ＲＯＭ５２、ＲＡＭ５３、カラオケ演奏端末２０と通信を行うための通信制御手段５４、記憶装置５7を備えると共に、本発明のコラボレーション歌唱の録画システム１０を構成する歌唱動画関連付け手段５５、コラボレーション公開データ作成手段５６を備えている。なお、サーバ５０には、複数のカラオケ演奏端末２０が接続されている。また、各カラオケ演奏端末２０は、歌唱動画の撮影を行うための撮影手段として機能するビデオカメラ２６、歌唱音声の録音を行うための歌唱音声取得手段として機能するマイクロホン２４、コラボレーションデータ取得手段３８、歌唱動画表示手段３９、コラボレーションデータ作成手段４０を備えている。
【００２５】
＜歌唱動画関連付け手段＞
歌唱動画関連付け手段５５は、コラボレーションデータ５７ａのコラボレーション歌唱音声に含まれるすべての利用者の歌唱動画を関連付けるためのプログラムからなる。すなわち、コラボレーションデータ５７ａは、コラボレーション歌唱を行った利用者毎に作成されるデータであり、例えば、既にコラボレーション歌唱を行った利用者及び新規にコラボレーション歌唱を行った利用者の歌唱音声が合成されたコラボレーション歌唱音声と、当該コラボレーション歌唱音声にカラオケ演奏音を合成したカラオケ歌唱音声と、新規にコラボレーション歌唱を行った利用者の歌唱動画とが含まれている。なお、コラボレーション歌唱に使用するための最初のコラボレーションデータ５７ａは、コラボレーション歌唱を所望する利用者一人により作成されたデータであり、この場合のコラボレーションデータ５７ａは、当該最初の利用者の歌唱音声と、当該歌唱音声にカラオケ演奏音を合成したカラオケ歌唱音声と、当該最初の利用者の歌唱動画とを含んでいる。
【００２６】
そして、歌唱動画関連付け手段５５の機能により、コラボレーションデータ５７ａのコラボレーション歌唱音声に含まれるすべての利用者の歌唱動画を関連付けることにより、コラボレーション公開データ作成手段５６の機能を用いてコラボレーション公開データ５７ｂを作成することができる。
【００２７】
＜コラボレーション公開データ作成手段＞
コラボレーション公開データ作成手段５６は、歌唱動画関連付け手段５５の機能により関連付けられたすべての利用者の歌唱動画と、コラボレーション歌唱音声とからなるコラボレーション公開データを作成するためのプログラムからなる。このコラボレーション公開データは、サーバ５０の記憶装置５７に記憶され、インターネット回線等を介して公開される。
【００２８】
＜カラオケ演奏端末＞
本発明の実施形態に係るコラボレーション歌唱の録画システム１０を適用するカラオケ演奏端末２０は、図２に示すように、カラオケ本体２１、カラオケリモコン装置２２、スピーカ２３、マイクロホン２４、表示装置２５、ビデオカメラ２６、ミキシングアンプ２７を備えている。
【００２９】
＜カラオケリモコン装置＞
カラオケリモコン装置２２は、カラオケ本体２１のローカル送受信手段３６との間で有線方式又は無線方式によりデータの送受信を行うようになっている。このカラオケリモコン装置２２は、楽曲検索手段２２ａとして機能するプログラム、楽曲索引データベース２２ｂ、カラオケ演奏端末２０との間でデータの送受信を行うリモコンデータ送受信手段２２ｃとして機能する電子回路及びプログラム、ユーザインタフェース機能を備えた入出力表示部２２ｄを備えている。このカラオケリモコン装置２２に付帯するスイッチ類や、入出力表示部２２ｄに表示される各種のアイコン等を操作することにより、選曲操作等が行われる。
【００３０】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏端末２０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段２２ａにより楽曲検索を行うと、例えば、カラオケリモコン装置２２の入出力表示部２２ｄに、検索結果が一覧表示される。
【００３１】
＜リモコンデータ送受信手段＞
リモコンデータ送受信手段２２ｃは、カラオケリモコン装置２２とカラオケ本体２１との間で種々のデータを送受信するための電子回路及びプログラムからなる。本実施形態では、リモコンデータ送受信手段２２ｃとカラオケ本体２１のローカル送受信手段３６との間で、赤外線通信によりデータの送受信が行われる。
【００３２】
＜入出力表示部＞
入出力表示部２２ｄは、例えば、タッチセンサを備えた液晶表示装置２５からなり、表示画面に種々のアイコン表示等が行われ、アイコン表示等をタッチペンによりタッチすることにより、楽曲の検索、選曲予約、音程キーの変更等、種々の操作を行うことができる。
【００３３】
＜マイクロホン＞
マイクロホン２４は、歌唱音声の入力を行うための装置であり、本実施形態では、歌唱音声取得手段として機能する。マイクロホン２４から入力された歌唱音声信号は、ミキシングアンプ２７により、音楽再生制御手段４１から送出される演奏音声信号とミキシングされると共に増幅され、スピーカ２３へ出力される。また、マイクロホン２４からの音声入力信号は、Ａ／Ｄコンバータ４２によりデジタル変換され、歌唱音声データ３４ｃとしてＲＡＭ３４に記憶される。この歌唱音声データ３４ｃは、コラボレーション歌唱音声等を作成する際に使用される。
【００３４】
＜表示装置＞
表示装置２５は、カラオケ楽曲に関連した背景映像や歌詞テロップ等を表示するための装置で、例えば、液晶ディスプレイ等により構成される。本実施形態では、コラボレーション歌唱を行う際に、最後に歌唱した利用者の歌唱画像と、現に撮影されている新規利用者の歌唱画像が表示される。
【００３５】
＜ビデオカメラ＞
ビデオカメラ２６は、利用者の歌唱動画を撮影するための撮影手段として機能する機器である。このビデオカメラ２６は、パン・チルト機構、ズーミング機構、合焦機能等を備えていることが好ましい。
【００３６】
＜カラオケ本体＞
カラオケ本体２１は、図２に示すように、ネットワーク送受信手段３１、中央制御手段３２、ＲＯＭ３３、ＲＡＭ３４、ＨＤＤ３５、ローカル送受信手段３６、予約管理手段３７、コラボレーションデータ取得手段３８、歌唱動画表示手段３９、コラボレーションデータ作成手段４０、音楽再生制御手段４１、Ａ／Ｄコンバータ４２、映像再生制御手段４３、映像取得手段４４を備えている。
【００３７】
＜中央制御手段＞
中央制御手段３２は、カラオケ本体２１を総合的に制御するための手段であり、例えばＣＰＵ及びその周辺機器により構成されており、ＣＰＵ等がＲＯＭ３３等に記憶されたプログラムに従って動作することにより、制御機能を発揮することができるようになっている。
【００３８】
＜ＲＯＭ／ＲＡＭ＞
ＲＯＭ３３は、カラオケ本体２１を構成する各機器を制御するためのプログラムデータや数値データを記憶するための機器で、例えば半導体メモリ等で構成される。また、ＲＡＭ３４は、プログラムや各種データを一時的に記憶する一時記憶領域として機能するもので、例えば半導体メモリ等で構成される。なお、物理的な半導体メモリによりＲＡＭ３４を構成するのではなく、ハードディスク記憶装置等を用いて仮想的なＲＡＭ３４を構成してもよい。本実施形態では、ＲＡＭ３４に予約待ち行列３４ａ、歌唱動画データ３４ｂ、歌唱音声データ３４ｃが記憶されるようになっている。予約待ち行列３４ａは、選曲予約されたカラオケ楽曲について、演奏順に楽曲ＩＤを並べて構成されたデータテーブルであり、選曲者の利用者ＩＤ等、他の識別データが紐付けられている場合もある。
【００３９】
歌唱動画データ３４ｂは、ビデオカメラ２６により撮影され、映像取得手段４４により取得したデータであり、歌唱音声データ３４ｃは、マイクロホン２４から入力され、Ａ／Ｄコンバータ４２によりＡ／Ｄ変換されたデータである。
【００４０】
＜ＨＤＤ＞
ＨＤＤ３５は、大容量記憶装置として機能するもので、楽曲データベース３５ａ、映像データベース３５ｂが格納されている。なお、ＨＤＤ３５に替えて、あるいはＨＤＤ３５と共に、データを書き替え可能なＤＶＤ等の大容量記憶装置を用いてもよい。
【００４１】
＜楽曲データベース／映像データベース＞
楽曲データベース３５ａは、複数のカラオケ楽曲について、演奏データ及び歌詞描出データが同期されて構成される楽曲データについて、楽曲ＩＤと対応付けてそれぞれ構成されたデータベースである。歌詞描出データは、演奏に同期した歌詞文字の表示タイミングデータ及び色変わりデータを含んでいる。映像データベース３５ｂは、演奏されるカラオケ楽曲に対応した背景映像を、当該カラオケ楽曲の楽曲ＩＤに対応させた映像ファイルとして所定数格納したデータベースである。
【００４２】
＜送受信手段＞
ネットワーク送受信手段３１は、サーバ５０とカラオケ演奏端末２０（カラオケ本体２１）との間で、データの送受信を行うための電子回路及びプログラムからなる。また、ローカル送受信手段３６は、カラオケ本体２１とカラオケリモコン装置２２との間で、データの送受信を行うための電子回路及びプログラムからなる。また、本実施形態では、赤外線通信により、カラオケ本体２１とカラオケリモコン装置２２との間でデータの送受信が行われる。
【００４３】
＜予約管理手段＞
予約管理手段３７は、利用者により、楽曲検索手段２２ａの機能を用いて検索され、利用者の選択指示に基づいて選曲予約された楽曲ＩＤを演奏順に並べて予約待ち行列３４ａを生成し、この予約待ち行列３４ａをＲＡＭ３４に格納して管理するためのプログラムからなる。
【００４４】
＜コラボレーションデータ取得手段＞
コラボレーションデータ取得手段３８は、新たにコラボレーション歌唱を行う新規利用者の選択に応じて、コラボレーション歌唱を行った利用者毎に作成された少なくとも１つ以上のコラボレーションデータ５７ａの中から、コラボレーション歌唱を行ったすべての利用者の歌唱音声からなるコラボレーション歌唱音声と、コラボレーション歌唱を最後に行った利用者の歌唱動画のみからなるコラボレーションデータ５７ａを１つ取得するためのプログラムからなる。上述したように、コラボレーションデータ５７ａは、サーバの記憶装置５７に記憶されており、通信回線を介してカラオケ演奏端末２０にダウンロードされる。
【００４５】
＜歌唱動画表示手段＞
歌唱動画表示手段３９は、新規利用者がコラボレーション歌唱を行う際に、ビデオカメラ２６で現に撮影している新規利用者の歌唱動画と、コラボレーションデータ取得手段３８の機能により取得した歌唱動画とを表示装置２５の表示画面に表示するためのプログラムからなる。すなわち、表示装置２５の表示画面には、コラボレーション歌唱を最後に行った利用者の歌唱動画と、現に撮影している新規利用者の歌唱画像とが表示される（図３参照）。なお、表示装置２５の表示画面には、歌唱画像の他に、コラボレーション歌唱を行うカラオケ楽曲の背景映像や歌詞テロップ等が表示される。
【００４６】
＜コラボレーションデータ作成手段＞
コラボレーションデータ作成手段４０は、新規利用者がコラボレーション歌唱を行っている姿態を撮影した歌唱動画と、コラボレーションデータ取得手段３８の機能により取得したコラボレーション歌唱音声に対して、マイクロホン２４から入力された新規利用者の歌唱音声を合成した新たなコラボレーション歌唱音声とを用いて、新たなコラボレーションデータ５７ａを作成するためのプログラムからなる。作成されたコラボレーションデータ５７ａは、通信回線を介してサーバ５０に送信され、記憶装置５７に記憶される。上述したように、コラボレーションデータ５７ａは、利用者毎に作成される。
【００４７】
＜音楽再生制御手段＞
音楽再生制御手段４１は、楽曲ＩＤに基づいて楽曲データベース３５ａから抽出された演奏データを、ミキシングアンプ２７に出力するための電子回路である。なお、演奏データがＭＩＤＩ規格の演奏制御データである場合には、この演奏制御データに基づいて、音源データをデジタル再生すると共にアナログ変換してミキシングアンプ２７に出力する。上述したように、ミキシングアンプ２７は、マイクロホン２４から入力された歌唱者の歌唱音声信号と、音楽再生制御手段４１から送出される演奏音声信号とをミキシングすると共に、アンプ機能により増幅してスピーカ２３より出力させるための装置である。
【００４８】
＜映像再生制御手段＞
映像再生制御手段４３は、カラオケ楽曲の演奏中に、映像データベース３５ｂから抽出した背景映像データと、演奏データに含まれる歌詞描出データに基づく歌詞文字とを、当該カラオケ楽曲の演奏データに同期させて表示装置２５に出力するためのプログラムからなる。
【００４９】
＜映像取得手段＞
映像取得手段４４は、ビデオカメラ２６で撮影した利用者の歌唱動画データ３４ｂを取得するための電子回路及びプログラムからなる。映像取得手段４４で取得した利用者の歌唱動画データ３４ｂは、ＲＡＭ３４に一時的に記憶されると共にサーバ５０に送信され、コラボレーションデータ５７ａやコラボレーション公開データ５７ｂを作成する際に使用される。
【００５０】
＜コラボレーション歌唱録画の手順＞
図１及び図３を参照して、コラボレーション歌唱録画の手順を説明する。図１に示すように、本実施形態のコラボレーション歌唱の録画システム１０を用いてコラボレーション歌唱の録画を行うには、利用者が既存のコラボレーションデータ５７ａの中からコラボレーション歌唱を所望するコラボレーションデータ５７ａを選択すると、コラボレーションデータ取得手段３８の機能により、当該コラボレーションデータ５７ａに含まれるコラボレーション歌唱を行ったすべての利用者の歌唱音声からなるコラボレーション歌唱音声と、コラボレーション歌唱を最後に行った利用者の歌唱動画とを取得（ダウンロード）する。
【００５１】
また、撮影手段（ビデオカメラ２６）により、新規利用者がコラボレーション歌唱を行う際の歌唱動画を撮影すると共に、歌唱音声取得手段(マイクロホン２４)により、新規利用者がコラボレーション歌唱を行う際の歌唱音声を取得する。
【００５２】
そして、歌唱動画表示手段３９の機能により、表示装置２５の表示画面に、コラボレーション歌唱を最後に行った利用者の歌唱動画と、現に撮影している新規利用者の歌唱画像とを表示する。
【００５３】
続いて、コラボレーションデータ作成手段４０の機能により、取得（ダウンロード）したコラボレーション歌唱音声及び新たに録音した新規利用者の歌唱音声を合成した新たなコラボレーション歌唱音声と、新たに撮影した新規利用者の歌唱動画とを用いて、新たなコラボレーションデータ５７ａを作成する。
【００５４】
具体的には、図３に示すように、利用者Ａのみのコラボレーションデータ５７ａが存在し、利用者Ｂがコラボレーション歌唱を行う場合には、ダウンロードしたコラボレーションデータ５７ａに含まれる利用者Ａの歌唱動画と、ビデオカメラ２６により撮影している利用者Ｂの歌唱動画を表示装置２５の表示画面に表示する。また、マイクロホン２４から入力された利用者Ｂの歌唱音声を録音し、コラボレーションデータ５７ａに含まれる利用者Ａの歌唱音声と、録音した利用者Ｂの歌唱音声とを合成して、利用者Ａ及び利用者Ｂのコラボレーション歌唱音声を作成し、さらに、このコラボレーション歌唱音声にカラオケ演奏音を合成したカラオケ歌唱音声を作成する。そして、利用者Ａ及び利用者Ｂのコラボレーション歌唱音声と、このコラボレーション歌唱音声にカラオケ演奏音を合成したカラオケ歌唱音声と、利用者Ｂの歌唱動画とからなる新たなコラボレーションデータ５７ａを作成する。
【００５５】
続いて、利用者Ａ及び利用者Ｂのコラボレーションデータ５７ａが存在し、利用者Ｃがコラボレーション歌唱を行う場合には、ダウンロードしたコラボレーションデータ５７ａに含まれる利用者Ｂの歌唱動画と、ビデオカメラ２６により撮影している利用者Ｃの歌唱動画を表示装置２５の表示画面に表示する。また、マイクロホン２４から入力された利用者Ｃの歌唱音声を録音し、コラボレーションデータ５７ａに含まれる利用者Ａ及び利用者Ｂのコラボレーション歌唱音声と、録音した利用者Ｃの歌唱音声とを合成して、利用者Ａ、利用者Ｂ及び利用者Ｃのコラボレーション歌唱音声を作成し、さらに、このコラボレーション歌唱音声にカラオケ演奏音を合成したカラオケ歌唱音声を作成する。そして、利用者Ａ、利用者Ｂ及び利用者Ｃのコラボレーション歌唱音声と、このコラボレーション歌唱音声にカラオケ演奏音を合成したカラオケ歌唱音声と、利用者Ｃの歌唱動画とからなる新たなコラボレーションデータ５７ａを作成する。
【００５６】
続いて、利用者Ａ、利用者Ｂ及び利用者Ｃのコラボレーションデータ５７ａが存在し、利用者Ｄがコラボレーション歌唱を行う場合には、コラボレーションデータ５７ａからダウンロードした利用者Ｃの歌唱動画と、ビデオカメラ２６により撮影している利用者Ｄの歌唱動画を表示装置２５の表示画面に表示する。また、マイクロホン２４から入力された利用者Ｄの歌唱音声を録音し、コラボレーションデータ５７ａに含まれる利用者Ａ、利用者Ｂ及び利用者Ｃのコラボレーション歌唱音声と、録音した利用者Ｄの歌唱音声とを合成して、利用者Ａ、利用者Ｂ、利用者Ｃ及び利用者Ｄのコラボレーション歌唱音声を作成し、さらに、このコラボレーション歌唱音声にカラオケ演奏音を合成したカラオケ歌唱音声を作成する。そして、利用者Ａ、利用者Ｂ、利用者Ｃ及び利用者Ｄのコラボレーション歌唱音声と、このコラボレーション歌唱音声にカラオケ演奏音を合成したカラオケ歌唱音声と、利用者Ｄの歌唱動画とからなる新たなコラボレーションデータ５７ａを作成する。
【００５７】
また、図１に示すように、歌唱動画関連付け手段５５の機能により、コラボレーションデータ５７ａのコラボレーション歌唱音声に含まれるすべての利用者の歌唱動画を関連付ける。そして、コラボレーション公開データ作成手段５６の機能により、関連付けられたすべての利用者の歌唱動画と、コラボレーション歌唱音声とからなるコラボレーション公開データ５７ｂを作成する。作成されたコラボレーション公開データ５７ｂは、サーバ５０の記憶装置５７に記憶され、インターネット回線等を介して公開される。
【００５８】
なお、図３に示す例では、４名を上限として、コラボレーションデータ５７ａ及びコラボレーション公開データ５７ｂを生成するようになっているが、コラボレーション歌唱に参加可能な利用者の人数は適宜変更して実施することができ、３名であってもよく、５名以上であってもよい。
【００５９】
＜他の実施形態＞
本発明のコラボレーション歌唱の録画システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏端末２０とサーバ５０をネットワーク接続するのではなく、カラオケ演奏端末２０を単体で動作させてもよい。この場合には、コラボレーション歌唱の録画システム１０を構成する各手段は、各カラオケ演奏端末２０の機能手段として構成される。
【符号の説明】
【００６０】
１０  コラボレーション歌唱の録画システム
２０  カラオケ演奏端末
２１  カラオケ本体
２２  カラオケリモコン装置
２２ａ  楽曲検索手段
２２ｂ  楽曲索引データベース
２２ｃ  リモコンデータ送受信手段
２２ｄ  入出力表示部
２３  スピーカ
２４  マイクロホン
２５  表示装置
２６  撮影手段（ビデオカメラ）
２７  ミキシングアンプ
３１  ネットワーク送受信手段
３２  中央制御手段
３３  ＲＯＭ
３４  ＲＡＭ
３４ａ  予約待ち行列
３４ｂ  歌唱動画データ
３４ｃ  歌唱音声データ
３５  ＨＤＤ
３５ａ  楽曲データベース
３５ｂ  映像データベース
３６  ローカル送受信手段
３７  予約管理手段
３８  コラボレーションデータ取得手段
３９  歌唱動画表示手段
４０  コラボレーションデータ作成手段
４１  音楽再生制御手段
４２  Ａ／Ｄコンバータ
４３  映像再生制御手段
４４  映像取得手段
５０  サーバ
５１  中央制御手段
５２  ＲＯＭ
５３  ＲＡＭ
５４  通信制御手段
５５  歌唱動画関連付け手段
５６  コラボレーション公開データ作成手段
５７  記憶装置
５７ａ  コラボレーションデータ
５７ｂ  コラボレーション公開データ
【図１】
0005794934.tif 000002
【図２】
0005794934.tif 000003
【図３】
0005794934.tif 000004